(57)【特許請求の範囲】
【請求項１】
頂壁(2)を有し該頂壁(2)の周縁から側周壁(3)を垂下設し、該側周壁(3)の外周面が斜め下方内側に傾斜する逆テーパ状とした射出成形品において、射出成形によるゲート跡(7)を前記側周壁(3)の下端面から突出する突片(4)の下端面に位置させたことを特徴とする合成樹脂製成形品。
【請求項２】
透明性を有するものであることを特徴とする請求項１記載の合成樹脂製成形品。
【請求項３】
平面形状が矩形状で、コンパクト容器の蓋部として使用することを特徴とする請求項１または２記載の合成樹脂成形品。
【請求項４】
頂壁(2)を有し、該頂壁(2)の周縁から側周壁(3)を垂下設し、該側周壁(3)の外周面が斜め下方内側に傾斜する逆テーパ状である合成樹脂製成形品(1)を成形するための射出成形金型であって、前記成形品(1)の頂壁(2)の頂面を形成する第１キャビティ金型(52)、側周壁(3)の外周面を形成する第２キャビティ金型(53)、そして内側面を形成するコア金型(55)を有し、前記成形品(1)の側周壁(3)の下端面側に対向する位置にゲート(62)が開口位置し、前記第２キャビティ金型(53)の第１キャビティ金型(52)との合せ面の所定位置にキャビティ面から外周縁にかけて横断する横溝部(54)を刻設し、該横溝部(54)に嵌入する先端部(56p)を有するスライドコア(56)を前記横溝部(54)の延設方向に沿ってスライド可能に配設し、第２キャビティ金型(53)の第１キャビティ金型(52)との合せ面(P)に沿って配設されるランナー
(61)の先端部は、前記横溝部(54)の側面(54s)に沿って底部(54b)に達し、さらに底部(54b)に沿って前方に延設されて前記ゲート(62)に連通し、成形品(1)の離型に際し、前記横溝部(54)の底部(54b)のランナー(61b)に形成される前記成形品(1)に付随するランナー部(9b)が上方に離型可能な位置まで前記スライドコア(56)が後退可能な構成としたことを特徴とする射出成形金型。
【請求項５】
エジェクタピン(59)でランナー部(9)を突き出して、該ランナー部(9)と共に成形品(1)を離型する構成とした請求項４記載の射出成形金型。
【請求項６】
ゲート(62)をファンゲートとした請求項４または５記載の射出成形金型。
【発明の詳細な説明】
【技術分野】
【０００１】
本発明は、化粧品向け等の外観が重要視される分野で使用される射出成形による合成樹脂成形品及びその成形に使用する射出成形金型に関する。
【背景技術】
【０００２】
パッケージングが商品力の大きな部分を占める化粧品向け等の容器においては、塗装、印刷等によりさまざまな加飾性を発揮させて商品イメージを大きく向上させる手段が講じられているが、高級なイメージを現出するためにはそのベースとして、高品位に成形された合成樹脂成形品が不可欠である。
射出成形による合成樹脂成形品では、射出成形に伴うゲート跡、ヒケ、フローマーク、ジェッティング、表面の光沢斑等がこのような高品位性を損なう原因となる。
【０００３】
上記した射出成形品の高品位性を損なう原因のうち、ゲート跡はその現出自体を防ぐのは困難であり、通常の使用の態様において見え難い場所に位置するようにする必要がある。
ここで図９（ａ）、（ｂ）は、頂壁１０２の周縁から側周壁１０３を垂下設した矩形薄皿状のコンパクト容器の蓋材を射出成形するための金型構成に係る２つの代表的な例の概略図である。図９（ａ）はキャビティ金型１５２とコア金型１５５によりキャビティＭＣが形成され、成形品１０１の頂壁１０２の内面の中央部に相当する位置にピンゲート（センターゲート）１６２ｐを開口位置させた例である。また、図９（ｂ）はキャビティ金型１５２とコア金型１５５の合せ面Ｐに沿ってサイドゲート１６２ｓを配設した例である。（特許文献１参照）
【０００４】
図９（ａ）のピンゲート１６２ｐでは成形品１０１の頂壁１０２の内側面の中央部にゲート跡が残るが、成形品１０１が不透明な場合には外観的に目立つことがないので、このピンゲートを採用することができる。
一方、成形品が透明な場合や、不透明でも蓋を開けた際に頂壁の内側面が露出するような製品では図９（ｂ）のサイドゲートが採用されている。ゲート跡を側周壁１０３のパーティングラインに沿って位置させることができるし、さらに側周壁１０３の後部、通常ヒンジが配設される部分等に位置させることにより、外観的にほとんど問題のないものとすることができる。
【先行技術文献】
【特許文献】
【０００５】
【特許文献１】実開昭５９-１１２６２６
【発明の概要】
【発明が解決しようとする課題】
【０００６】
図９（ｃ）は、図９（ｂ）と同様に矩形薄皿状のコンパクト容器の蓋材を成形するための、サイドゲートを採用した金型の概略図であるが、この成形品は側周壁１０３の外周面が斜め下方内側に傾斜する逆テーパ状のものであり、このような逆テーパ状の側周壁１０３を有する成形品を成形する場合には、成形品の型抜きを考慮し、頂面を形成する第１キャビティ金型１５２ａと側周面を形成する第２キャビティ金型１５３とコア金型１５５を使用し、第１キャビティ金型１５２ａと第２キャビティ金型１５３の合せ面Ｐを側周壁１０３の上端に位置させる必要があり、このため、ゲート跡が頂壁１０２と側周壁１０３の境界に位置するために目立ち、外観が毀損すると云う問題がある。
【０００７】
本発明は、上記した逆テーパ状の側周壁を有する射出成形品において、ゲート跡に起因する外観の毀損を効果的に防ぐことを技術的な課題とするものである。
【課題を解決するための手段】
【０００８】
上記課題を解決するための手段において、本発明は、合成樹脂成形品に係る発明と、この成形品を成形するのに使用する射出成形金型に係る発明を有するが、まず上記課題を解決するための手段のうち、合成樹脂成形品に係る本発明の主たる構成は、
頂壁を有しこの頂壁の周縁から側周壁を垂下設し、この側周壁の外周面が斜め下方内側に傾斜する逆テーパ状とした射出成形品において、射出成形によるゲート跡を側周壁の下端面から突出する突片の下端面に位置させる、と云うものである。
【０００９】
上記構成により、後述する射出成形金型に係る発明にあるようにアンダーゲートタイプのゲートを採用することによりゲート跡を側周壁の下端面側に位置させることができ、側周壁の外周面を逆テーパ状としたことに起因するゲート跡に起因する外観の毀損に係る問題を解消し、高品位な外観を保持することができる。
【００１０】
合成樹脂成形品に係る本発明の他の構成は、上記主たる構成において、成形品を、透明性を有するものとする、と云うものである。
【００１１】
アンダーゲートタイプのゲートを採用することによりゲート跡を側周壁の下端面側に位置させることができ、側周壁が逆テーパ状の成形品で、かつ透明性を有するものであっても外観の高品位性を保持することができる。
ここで、透明性を有する成形品には、半透明性のもの、着色透明なものも含まれる。
【００１２】
合成樹脂成形品に係る本発明のさらに他の構成は、平面形状が矩形状で、コンパクト容器の蓋材として使用する、と云うものである。
【００１３】
上記構成は、成形品の具体的な例に係るものであり、矩形状のコンパクト容器の蓋材において、ゲート跡を側周面の下端面側に隠すことにより、側周壁を逆テーパ状にしたことが相俟って、シャープで高品位な外観を付与することができる。
【００１４】
次に、本発明に係る課題を解決するための手段のうち、射出成形金型に係る本発明の主たる構成は、
頂壁を有し、この頂壁の周縁から側周壁を垂下設し、この側周壁の外周面が斜め下方内側に傾斜する逆テーパ状である合成樹脂製成形品を成形するための射出成形金型において、
成形品の頂壁の頂面を形成する第１キャビティ金型、側周壁の外周面を形成する第２キャビティ金型、そして内側面を形成するコア金型を有し、
成形品の側周壁の下端面側に対向する位置にゲートが開口位置し、
第２キャビティ金型の第１キャビティ金型との合せ面の所定位置にキャビティ面から外周縁にかけて横断する横溝部を刻設し、この横溝部に嵌入する先端部を有するスライドコアを横溝部の延設方向に沿ってスライド可能に配設し、
第２キャビティ金型の第１キャビティ金型との合せ面に沿って配設されるランナーの先端部は、横溝部の側面に沿って底部に達し、さらに底部に沿って前方に延設されてゲートに連通し、
成形品の離型に際し、横溝部の底部のランナーに形成される成形品に付随するランナー部が上方に離型可能な位置までスライドコアが後退可能な構成とする、と云うものである。
【００１５】
上記構成の射出成形金型によれば、射出された溶融樹脂は第２キャビティ金型の第１キャビティ金型との合せ面に形成されるランナーを流動し、第２キャビティ金型に刻設された横溝部に至り、この横溝部では、横溝部の側面とスライドコアの側面との合せ面に形成されるランナー、そして横溝部の底部とスライドコアの底面との合せ面に形成されるランナーを介して、成形品の側周壁の下端面の下方に配設されるゲートから金型キャビティ内に流動、キャビティを充填、そして冷却固化して成形品が成形される。
【００１６】
そして、離型時にはスライドコアを横溝部に沿って後退させることにより、このスライドコアの先端部の下側に位置するランナー部を離型可能として、成形品を成形することができる。
なお、上記説明あるいは以下の説明で、ランナーとゲートは金型構造に関し、ランナー部とゲート部は成形品に関するものとする。
【００１７】
なお、通常この種のスライドコアの移動には、主として斜めピン（所謂、アンギュラピン）を用いることができる。
また、スライドコアの前進限界では、このスライドコアの先端部の先端面は第２キャビティ金型のキャビティ面と面一になって、キャビティ面の一部を構成し、成形品の側周壁の外周面の一部を形成する。
【００１８】
射出成形金型に係る本発明の他の構成は、上記主たる構成において、エジェクタピンでランナー部を突き出して、このランナー部と共に成形品を離型する構成とする、と云うものであり、成形品自体にはエジェクタピンの痕が残らないので、高品位な外観を保持することができる。
【００１９】
射出成形金型に係る本発明のさらに他の構成は、上記主たる構成において、ゲートをファンゲートとする、と云うものであり、ファンゲートとすることにより、ゲート近傍でのジェッティングやヒケの現出を効果的に抑制することができる。
【発明の効果】
【００２０】
本発明は、上記した構成となっているので、以下に示す効果を奏する。
本発明の合成樹脂製成形品の主たる構成を有するものにあっては、ゲート跡を側周壁の下端面側に位置させることにより側周壁の外周面を逆テーパ状としたことに起因するゲート跡に係る問題を解消したものであり、透明性を有す成形品であっても高品位な外観を保持することができる。
【００２１】
また、射出成形金型に係る本発明の主たる構成を有するものにあっては、側周壁の外周面を形成する第２キャビティ金型に横溝部を形成し、この横溝部にスライド可能にスライドコアを嵌入する構成とすることにより、この横溝部とスライドコアを利用して第２キャビティ金型の成形品の側周面の上端に相当する上端面から成形品の側周面の下端面の下方に開口位置するアンダーゲートタイプのゲートに連通するランナーを形成することができ、また離型時にはスライドコアを横溝部に沿って後退させることにより、このスライドコアの下に位置するランナー部を離型可能として、成形品を容易に離型することができる。
【図面の簡単な説明】
【００２２】
【図１】本発明の合成樹脂成形品の一実施例の平面図である。
【図２】図１の成形品の背面図である。
【図３】図１中のＡ−Ａ線に沿って示す縦断面図である。
【図４】離型後のランナー部を伴った成形品の斜視図である。
【図５】成形品を切り離した後のゲート部近傍のランナー部の斜視図である。
【図６】本発明の射出成形金型の一実施例の要部の平面図である。
【図７】図６中のＢ−Ｂ線に沿って示す縦断面図である。
【図８】成形品の離型工程を説明する概略説明図である。
【図９】従来の金型の概略説明図である。
【発明を実施するための形態】
【００２３】
以下、本発明の実施の形態を実施例に沿って図面を参照しながら説明する。
図１〜３は本発明による合成樹脂製成形品の一実施例を示すものであり、図１は平面図、図２は背面図、図３は図１中のＡ−Ａ線に沿って示す縦断面図である。
【００２４】
この成形品１はコンパクト容器の蓋部を構成する部材で、透明な射出成形品で、矩形状の頂壁２を有し、この頂壁２の周縁から側周壁３を垂下設したもので、全体として矩形薄皿状の形状をしている。
また、側周壁３の外周面は図２の背面図、あるいは図３の断面図に見られるように斜め下方内側に傾斜した逆テーパ状であり、成形品全体としてシャープな印象を付与するようにしている。
なお、図１中、黒抜き矢印で正面方向Ｆと背面方向Ｂを示している。
【００２５】
ここで、図４は離型後のゲート部１０とランナー部９を伴った成形品１の斜視図、そして図５は成形品１を切り離した後のファン状のゲート部１０とランナー部９の斜視図でありゲート部１０の先端の上端面にはゲート跡７ａが位置している。また、水平状のランナー部９ｐはランナー部９ｓ、９ｂを介してゲート部に連接している。
【００２６】
そして、この成形品１は後述するような金型を用いて、所謂、アンダーゲートタイプのゲートを採用して射出成形されたものであり、細長矩形状のゲート跡７は側周壁３の背面部の左右中央の下端面から突出する突片４の下端面に位置しており（図２参照）、これによりゲート跡７に起因する外観上の毀損を効果的に防ぐことができる。
なお、この突片４はこの成形品１の内側に嵌入する部材との嵌合部を形成するためものである。
【００２７】
次に、図６、７は上記、成形品１の射出成形に使用する射出成形金型の一例を示す概略説明図で、図６は金型要部の平面図、図７は図６中のＢ−Ｂ線に沿った縦断面図に相当する。この金型５１は、主として成形品１の頂壁２の頂面２ｔを形成する第１キャビティ金型５２、側周壁３の外周面を形成する第２キャビティ金型５３、内面を形成するコア金型５５、そして図６中便宜上黒く塗り潰したスライドコア５６から構成される。なお図６では説明の便宜のため、第２キャビティ金型５３の上に位置する第１キャビティ金型５２を外した状態としている。
【００２８】
側周壁３の外周面を形成する第２キャビティ金型５３は、全体として図６に示されるように矩形の額縁状で、第１キャビティ金型５２との合せ面Ｐの、成形品１の、側周壁３背面部の左右中央位置に対向する位置に、キャビティ面から外周縁にかけて横断し、断面形状がコの字状の横溝部５４が刻設状に形成されている。
【００２９】
また、スライドコア５６は横溝部５４に、その先端部５６ｐを嵌入するようにして、また横溝部５４の延設方向に、一対のガイド板５７沿って後退可能に配設されている。
なお、スライドコア５６の前進限界ではその先端部５６ｐの先端面は、第２キャビティ金型５３のキャビティ面と面一になってキャビティ面の一部を構成し、側周壁３の外周面の一部を形成するため、側周壁３の背面部の左右中央部には図２あるいは図４中に示したように、スライドコア５６の先端面の左右端部に起因する一対のコア痕８が見られる。
【００３０】
また、ランナー６１は、第２キャビティ金型５３と第１キャビティ金型５２との合せ面Ｐに沿って配設されるランナー６１ｐは上記横溝部５４の側面５４ｓに沿って底部５４ｂに達するランナー６１ｓ、さらに底部５４ｂに沿って前方に延設するランナー６１ｂと延設され、成形品１の側周壁３の下端面に突設された突片４の下端面に対向して開口位置する、所謂、アンダーゲートタイプのゲート６２に連通している。なお、本実施例ではゲート６２に側周面３の外周面にジェッティングやヒケがでないように、先端に向けて流路幅を広げた形状の、所謂、ファンゲートを採用している。
【００３１】
次に、ランナー６１とゲート６２を介してキャビティＭＣ内に溶融樹脂を充填、冷却固化した後の、成形品１の離型工程について説明する。
図８はこの離型工程を説明するための概略説明図であり（ここでも説明の便宜上第１キャビティ金型５２は図示を省略している。）、(ａ)は金型内で冷却固化が終了した状態、（ｂ）はコア金型５５を下方に後退させた状態、（ｃ）は第１キャビティ金型５２と第２キャビティ金型５３との合せ面に係る型開きに伴ってスライドコア５６を後退させた状態。（この状態で横溝部５４の底面５４ｂを走るランナー部９ｂが離型できる状態となる。）、そして（ｄ）は複数のエジェクタピン５９（図６参照）でランナー部９を突き出すことにより成形品１を離型した状態を示す。
【００３２】
そして上記のような工程で、図４に示されるようなゲート部１０やランナー部９が付いた状態で成形品１を得ることができ、最終的にはゲート６２により形成される薄肉部分を切断することにより成形品１を得ることができる。
【００３３】
ここで図６、７中に白抜き矢印でスライドコア５６の後退方向を示しているが、この第１キャビティ金型５２と第２キャビティ金型５３との合せ面Ｐに係る型開きに伴うスライドコア５６の後退は、図７中に示される、スライドコア５６の後部を摺動可能に斜めに挿通する斜めピン５８（所謂、アンギュラピン）を用いることにとり達成することができる。
【００３４】
以上、実施例に沿って本発明の構成とその作用効果について説明したが、本発明の実施の形態は上記実施例に限定されるものではない。
本発明の成形品の形状について云えば、逆テーパ状の側周壁を有すると云う範疇のなかで特に限定されるもではなく、また透明性を有する成形品だけではなく不透明な成形品についても有効である。
また、本願発明の射出成形金型についても図６、７に示した例は、その一例であり、成形品の形状によって金型をさらに分割する、スライドコアの移動機構についても油圧モーターを使用する等の手段を選択することができる。
【産業上の利用可能性】
【００３５】
以上説明したように、本発明の逆テーパ状の側周壁を有する合成樹脂製成形品は透明性を有する場合も外部からゲート跡が見えないようにしたものであり、特に高品位な外観が要求される化粧品用容器等の分野で幅広い用途展開を期待することができる。
【符号の説明】
【００３６】
１  ；成形品
２  ；頂壁
２ｔ；頂面
３  ；側周壁
４  ；突片
７、７ａ；ゲート跡
８  ；コア痕
９（９ｐ、９ｓ、９ｂ）；ランナー部
１０；ゲート部
５１；金型
５２；第１キャビティ金型
５３；第２キャビティ金型
５４；横溝部
５４ｓ；側部
５４ｂ；底部
５５；コア金型
５６；スライドコア
５６ｐ；先端部
５７；ガイド板
５８；斜めピン
５９；エジェクタピン
６１（６１ｐ、６１ｓ、６１ｂ）；ランナー
６２；ゲート
Ｐ；合せ面
ＰＬ；パーティングライン
ＭＣ；キャビティ
【図１】
0005477720.tif 000002
【図２】
0005477720.tif 000003
【図３】
0005477720.tif 000004
【図４】
0005477720.tif 000005
【図５】
0005477720.tif 000006
【図７】
0005477720.tif 000007
【図９】
0005477720.tif 000008
【図６】
0005477720.tif 000009
【図８】
0005477720.tif 000010